(57)【要約】  各基板に設けた画素電極間に電圧を印加し、表示媒体を駆動させて画像等の情報を表示する情報表示部を有する情報表示用パネルにおいて、前記情報表示部の外側に、外部駆動回路と接続に用いる接続端子部との接続のために、双方の基板上の前記画素電極から引き出された電極配線が集まる電極配線集中部と、前記情報表示部の外側に設けられた枠リブと、を備え、導電性粒子を含むシール剤を用いて、一方の基板に設けた画素電極に繋がる電極配線と、他方の基板に設けた電極配線とを、前記情報表示部の外側の位置で電気的に接続するとともに、前記電極配線集中部に対応する部分の枠リブの幅を、それ以外の部分よりも広く形成し、電極配線集中部に対応する部分における基板の端部の開口を防湿剤で塞ぎ、電極配線集中部に対応する部分以外の部分に、導電性粒子を含むシール剤を配置した。
2009113626.tif 000002
【特許請求の範囲】
【請求項１】
各基板に設けた画素電極間に電圧を印加し、表示媒体を駆動させて画像等の情報を表示する情報表示部を有する情報表示用パネルにおいて、前記情報表示部の外側に、外部駆動回路との接続に用いる接続端子部との接続のために、双方の基板上の前記画素電極から引き出された電極配線が集まる電極配線集中部と、前記情報表示部の外側に設けられた枠リブと、を備え、導電性粒子を含むシール剤を用いて、一方の基板に設けた画素電極に繋がる電極配線と、他方の基板に設けた電極配線とを、前記情報表示部の外側の位置で電気的に接続するとともに、前記電極配線集中部に対応する部分の枠リブの幅を、それ以外の部分よりも広く形成し、電極配線集中部に対応する部分以外の部分に、導電性粒子を含むシール剤を配置したことを特徴とする情報表示用パネル。
【請求項２】
パネル端部に形成された、導電性粒子を含むシール剤と枠リブとで挟まれたパネル基板間空間を封止剤にて封止することを特徴とする請求項１に記載の情報表示用パネル。
【請求項３】
各基板に設けた画素電極間に電圧を印加し、表示媒体を駆動させて画像等の情報を表示する情報表示部を有する情報表示用パネルにおいて、前記情報表示部の外側に、外部駆動回路との接続に用いる接続端子部との接続のために、双方の基板上の前記画素電極から引き出された電極配線が集まる電極配線集中部と、前記情報表示部の外側に設けられた枠リブと、を備え、導電性粒子を含むシール剤を用いて、一方の基板に設けた画素電極に繋がる電極配線と、他方の基板に設けた電極配線とを、前記情報表示部の外側の位置で電気的に接続するとともに、前記電極配線集中部に対応する部分における基板の端部の開口を防湿剤で塞ぎ、電極配線集中部に対応する部分以外の部分に、導電性粒子を含むシール剤を配置したことを特徴とする情報表示用パネル。
【請求項４】
パネル端部に形成された、導電性粒子を含むシール剤と防湿剤とで挟まれたパネル基板間空間を封止剤にて封止することを特徴とする請求項３に記載の情報表示用パネル。
【請求項５】
各基板に設けた画素電極間に電圧を印加し、表示媒体を駆動させて画像等の情報を表示する情報表示部を有する情報表示用パネルにおいて、前記情報表示部の外側に、外部駆動回路との接続に用いる接続端子部との接続のために、双方の基板上の前記画素電極から引き出された電極配線が集まる電極配線集中部と、前記情報表示部の外側に設けられた枠リブと、を備え、導電性粒子を含むシール剤を用いて、一方の基板に設けた画素電極に繋がる電極配線と、他方の基板に設けた電極配線とを、前記情報表示部の外側の位置で電気的に接続するとともに、前記電極配線集中部に対応する部分の枠リブの幅を、それ以外の部分よりも広く形成し、電極配線集中部に対応する部分における基板の端部の開口を防湿剤で塞ぎ、電極配線集中部に対応する部分以外の部分に、導電性粒子を含むシール剤を配置したことを特徴とする情報表示用パネル。
【請求項６】
パネル端部に形成された、導電性粒子を含むシール剤と枠リブとで挟まれたパネル基板間空間および導電性粒子を含むシール剤と防湿剤とで挟まれたパネル基板間空間を、封止剤にて封止することを特徴とする請求項５に記載の情報表示用パネル。
【発明の詳細な説明】
【技術分野】
【０００１】
本発明は、少なくとも一方が透明である２枚の基板間に、電気的に駆動可能な粒子で構成した表示媒体を封入し、各基板に設けた画素電極を対向配置して形成した対電極間に電圧を印加し、表示媒体を駆動させて画像等の情報を表示する情報表示用パネルに関するものである。
【背景技術】
【０００２】
従来、透明な前面基板と、背面基板との間に電気的に駆動可能な粒子で構成した表示媒体を封入し、各基板に設けた対向対電極間に電圧を印加し、表示媒体を電気的に駆動させて画像等の情報を表示する情報表示用パネルが知られている（例えば、国際公開ＷＯ２００５／０６２１１２号パンフレット）。【０００３】
上述した従来の情報表示用パネルでは、背面基板に設けた電極と、透明な前面基板に設けた電極とを接続して、例えば背面基板の端部において外部回路の接続端子と接続する必要がある。図８（ａ）〜（ｄ）はそれぞれ従来の情報表示用パネルの製造方法の一例を示す図である。まず、図８（ａ）に示すように、各情報表示部を形成する画素単位に電源を供給するための電極Ｂ１〜Ｂ４と外部回路の接続端子と接続するための電極Ａ１〜Ａ４とを設けた背面基板５１を準備するとともに、図８（ｂ）に示すように、各情報表示部を形成する画素単位に電源を供給するための透明な電極Ｆ１〜Ｆ４を設けた透明な前面基板５２を準備する。次に、図８（ｃ）に示すように、背面基板５１上の情報表示部の外側に、導電性粒子を含む接着性シール剤からなる異方導電性のシール剤５３を配置して設ける。最後に、図８（ｄ）に示すように、背面基板５１上に前面基板５２をシール剤５３を介して重ね合わせて、前面基板５２の電極Ｆ１〜Ｆ４を背面基板５１の電極Ａ１〜Ａ４から電気的に取り出している。異方導電性のシール剤５３を使用することで、○を付した電極Ａ１〜Ａ４と前面基板５２の電極Ｆ１〜Ｆ４とがシール剤５３中の導電性粒子により接触して、その箇所のみで導通している。なお、５４は情報表示部を示す。【０００４】
上述した構造の従来の情報表示用パネルでは、一般的に知られている液晶表示パネルと比べて、前面基板５２と背面基板５１との間のギャップが広いため、シール剤５３を構成する導電性粒子として大粒径の粒子を使用する必要があった。また、情報表示部５４をシールするために、導電性粒子を含むシール剤５３を、情報表示部５４の外周全体を囲むように設ける必要があった。【０００５】
そのため、図８（ｄ）において○を付した部分（各基板上の電極を電気的に接続する部分）以外の部分例えばＸ部で、図９にその拡大図を示すように、情報表示部の画素電極６１を延長した情報表示部外側領域の電極配線を端部に導く導電配線６２のうち、シール剤５３の配置部に対応する位置の導電配線６２における隣り合う電極間スペースが、導電性粒子６３の大きさに対して充分に広く確保できず、導電性粒子６３により隣り合う導電配線６２間でリークの発生が懸念される問題があった。
【発明の開示】
【０００６】
本発明の目的は上述した問題点を解消して、粒子で構成された表示媒体駆動型の情報表示用パネルにおいて、導電性粒子を含むシール剤を用いて前面基板上の電極と背面基板上の電極との電気的導通および情報表示部のシールをしても、導電配線間にリークの発生がない情報表示用パネルを提供しようとするものである。
【０００７】
本発明の第１発明に係る情報表示用パネルは、各基板に設けた画素電極間に電圧を印加し、表示媒体を駆動させて画像等の情報を表示する情報表示部を有する情報表示用パネルにおいて、前記情報表示部の外側に、外部駆動回路と接続に用いる接続端子部との接続のために、双方の基板上の前記画素電極から引き出された電極配線が集まる電極配線集中部と、前記情報表示部の外側に設けられた枠リブと、を備え、導電性粒子を含むシール剤を用いて、一方の基板に設けた画素電極に繋がる電極配線と、他方の基板に設けた電極配線とを、前記情報表示部の外側の位置で電気的に接続するとともに、前記電極配線集中部に対応する部分の枠リブの幅を、それ以外の部分よりも広く形成し、電極配線集中部に対応する部分以外の部分に、導電性粒子を含むシール剤を配置したことを特徴とするものである。
【０００８】
本発明の第２発明に係る情報表示用パネルは、各基板に設けた画素電極間に電圧を印加し、表示媒体を駆動させて画像等の情報を表示する情報表示部を有する情報表示用パネルにおいて、前記情報表示部の外側に、外部駆動回路と接続に用いる接続端子部との接続のために、双方の基板上の前記画素電極から引き出された電極配線が集まる電極配線集中部と、前記情報表示部の外側に設けられた枠リブと、を備え、導電性粒子を含むシール剤を用いて、一方の基板に設けた画素電極に繋がる電極配線と、他方の基板に設けた電極配線とを、前記情報表示部の外側の位置で電気的に接続するとともに、前記電極配線集中部に対応する部分における基板の端部の開口を防湿剤で塞ぎ、電極配線集中部に対応する部分以外の部分に、導電性粒子を含むシール剤を配置したことを特徴とするものである。
【０００９】
本発明の第３発明に係る情報表示用パネルは、各基板に設けた画素電極間に電圧を印加し、表示媒体を駆動させて画像等の情報を表示する情報表示部を有する情報表示用パネルにおいて、前記情報表示部の外側に、外部駆動回路と接続に用いる接続端子部との接続のために、双方の基板上の前記画素電極から引き出された電極配線が集まる電極配線集中部と、前記情報表示部の外側に設けられた枠リブと、を備え、導電性粒子を含むシール剤を用いて、一方の基板に設けた画素電極に繋がる電極配線と、他方の基板に設けた電極配線とを、前記情報表示部の外側の位置で電気的に接続するとともに、前記電極配線集中部に対応する部分の枠リブの幅を、それ以外の部分よりも広く形成し、電極配線集中部に対応する部分における基板の端部の開口を防湿剤で塞ぎ、電極配線集中部に対応する部分以外の部分に、導電性粒子を含むシール剤を配置したことを特徴とするものである。
【００１０】
本発明の第１発明〜第３発明に係る情報表示用パネルの好適例としては、パネル端部に形成された、導電性粒子を含むシール剤と枠リブとで挟まれたパネル基板間空間、および／または、導電性粒子を含むシール剤と防湿剤とで挟まれたパネル基板間空間を、封止剤にて封止することがある。
【００１１】
本発明によれば、導電性粒子を含むシール剤を用いて、一方の基板に設けた画素電極に繋がる電極配線と、他方の基板に設けた電極配線とを、前記情報表示部の外側の位置で電気的に接続するとともに、（１）電極配線集中部に対応する部分の枠リブの幅を、それ以外の部分よりも広く形成し、（２）電極配線集中部に対応する部分における基板の端部の開口を防湿剤で塞ぎ、および／または、（３）電極配線集中部に対応する部分以外の部分に、導電性粒子を含むシール剤を配置したことで、電気的に駆動可能な粒子で構成した表示媒体を駆動させて表示を行う情報表示用パネルにおいて、導電性粒子を含むシール剤を用いて前面基板上の電極と背面基板上の電極との電気的導通および情報表示部のシールをしても、導電配線間にリークの発生がない情報表示用パネルを得ることができる。
【図面の簡単な説明】
【００１２】
【図１】（ａ）、（ｂ）はそれぞれ本発明の情報表示用パネルの一例の構成を示す図である。
【図２】本発明の情報表示用パネルの他の例の構成を示す図である。
【図３】（ａ）〜（ｄ）はそれぞれ本発明の情報表示用パネルのさらに他の例の構成を示す図である。
【図４】（ａ）、（ｂ）はそれぞれ本発明の第１発明に係る情報表示用パネルの一例を説明するための図である。
【図５】（ａ）、（ｂ）はそれぞれ本発明の第２発明に係る情報表示用パネルの一例を説明するための図である。
【図６】（ａ）、（ｂ）はそれぞれ本発明の第３発明に係る情報表示用パネルの一例を説明するための図である。
【図７】本発明の情報表示用パネルにおける隔壁の形状の一例を示す図である。
【図８】（ａ）〜（ｄ）はそれぞれ従来の情報表示用パネルの製造方法の一例を示す図である。
【図９】従来の情報表示用パネルの問題点を説明するための図である。
【発明を実施するための最良の形態】
【００１３】
まず、本発明の情報表示用パネルの一例である帯電粒子電界駆動方式情報表示用パネルの基本的な構成について説明する。前記情報表示用パネルでは、対向する２枚の基板間に封入した帯電性粒子を含んだ粒子群として構成した表示媒体に対向対電極から電界が付与される。付与された電界方向にそって、表示媒体が電界による力やクーロン力などによって引き寄せられ、表示媒体が電界方向の変化によって移動方向が切り換わることにより、画像等の情報表示がなされる。従って、表示媒体が、均一に移動し、かつ、表示情報を書き換える時あるいは表示した情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。【００１４】
本発明の対象となる帯電粒子電界駆動方式の情報表示用パネルの例を、図１（ａ）、（ｂ）、図２および図３（ａ）〜（ｄ）に基づき説明する。【００１５】
図１（ａ）、（ｂ）に示す例では、少なくとも光学的反射率および帯電性を有する粒子を含んだ粒子群として構成した、互いに光学的反射率および帯電特性の異なる少なくとも２種の表示媒体（ここでは帯電性白色粒子３Ｗａを含んだ粒子群として構成した白色表示媒体３Ｗと帯電性黒色粒子３Ｂａを含んだ粒子群として構成した黒色表示媒体３Ｂを示す）を、基板１に設けた電極５と基板２に設けた電極６との間に電圧を印加することにより発生する電界に応じて、基板１、２と垂直に移動させ、黒色表示媒体３Ｂを観察者に視認させて黒色の表示を行うか、あるいは、白色表示媒体３Ｗを観察者に視認させて白色の表示を行っている。なお、図１（ｂ）に示す例では、基板１、２との間に例えば格子状に隔壁４を設けセルを形成している。また、図１（ｂ）において、手前にある隔壁は省略している。【００１６】
図２に示す例では、少なくとも光学的反射率と帯電性とを有する粒子を含んだ粒子群として構成した１種類の表示媒体（ここでは帯電性白色粒子３Ｗａを含んだ粒子群として構成した白色表示媒体３Ｗを示す）を、基板１に設けた電極５と基板２に設けた電極６との間に電圧を印加することにより発生する電界に応じて、基板１、２と略垂直方向に移動させ、白色表示媒体３Ｗを観察者に視認させて白色の表示を行うか、あるいは、基板１において透明な電極６の下に設けたカラー板７（ここでは黒色）の色を観察者に視認させて黒色の表示を行っている。なお、図２に示す例では、基板１、２との間に例えば格子状の隔壁４を設けセルを形成している。また、図２において、手前にある隔壁は省略している。【００１７】
図３（ａ）〜（ｄ）はそれぞれ帯電粒子電界駆動方式の情報表示用パネルのさらに他の例を示す図である。図３（ａ）に示す例では、帯電粒子電界駆動方式の情報表示用パネルのうち、電極５、６が個別電極の例を示す。図３（ｂ）に示す例では、帯電粒子電界駆動方式の情報表示用パネルのうち、電極５、６がライン電極の例を示す。図３（ｃ）に示す例では、電極５、６を個別電極とするとともに、電気的に駆動可能な粒子で構成した表示媒体をカプセル８中に充填して基板１、２間に配置した例を示す。図３（ｄ）に示す例では、電極５、６を個別電極とするとともに、半分ずつ帯電極性が異なるとともに白黒に塗り分けた回転ボール型の表示媒体９を絶縁液体とともに風刺したマイクロカプセルを基板１、２間に配置した例を示す。図３（ａ）〜（ｄ）に示したいずれの例にも、本発明を好適に適用することができる。【００１８】
図４（ａ）、（ｂ）〜図６（ａ）、（ｂ）はそれぞれ本発明の情報表示用パネルの一例の構成を説明するための図である。図４（ａ）、（ｂ）〜図６（ａ）、（ｂ）に示す例において、前面基板上の電極と背面基板上の電極との導通を導電性粒子でとる点、および、導電性粒子を含むシール剤を２枚の基板間に配置する点は、従来例として説明した図８（ａ）〜（ｄ）に示す例と共通である。【００１９】
なお、図４（ａ）、（ｂ）〜図６（ａ）、（ｂ）に示す例において、２１は情報表示用パネル、２２は駆動させて表示を行う表示媒体を配置した情報表示部、２３は情報表示部２２の最外周に設けられた枠リブ、２４は導電性粒子を含むシール剤、２５は一方の基板上に設けられた画素電極からの引き出し電極配線、２６は導電性粒子を含むシール剤２４を介して一方の基板上の引き出し電極配線２５から他方の基板上に引き出された電極配線、２７は他方の基板上に設けられた画素電極からの引き出し電極配線、２８は外部回路との接続に用いるフレキシブルケーブルが形成されたフレキシブル回路基板（ＦＰＣ基板）、２９はフレキシブルケーブルと接続する情報表示用パネル２１側の電極接続部、３０は双方の基板上の画素電極から引き出された電極配線２６、２７がすべて集まる電極配線集中部で、この先にある電極接続部２９に接続するため、電極配線間のスペースがシール剤中の導電性粒子の粒子径よりも狭くなる部分が含まれている部分、である。なお、○印の場所で、導電性粒子を含むシール剤２４を介して一方の基板上の画素電極からの引き出し電極配線２５が他方の基板上の電極配線２６に引き出されている。以下、第１発明〜第３発明を順に説明する。【００２０】
＜第１発明の説明＞
図４（ａ）、（ｂ）はそれぞれ本発明の第１発明に係る情報表示用パネルの一例を説明するための図である。図４（ａ）に示す例では、情報表示部２２の外側に、外部駆動回路との接続に用いる接続端子部２９との接続のために、双方の基板上の画素電極から引き出された電極配線２５、２６が集まる電極配線集中部３０と、情報表示部２２の外側に設けられた枠リブ２３と、を備え、導電性粒子を含むシール剤２４を用いて、一方の基板に設けた画素電極に繋がる電極配線２５と、他方の基板に設けた電極配線２６とを、情報表示部２２の外側の位置で電気的に接続するとともに、電極配線集中部３０に対応する部分の枠リブ２３ａの幅を、それ以外の部分よりも広く形成し、電極配線集中部３０に対応する部分以外の部分に、導電性粒子を含むシール剤２４を配置している。言い換えると、情報表示部２２の外側領域にある電極配線集中部３０において、導電粒子を含むシール剤２４を設けず、電極配線集中部３０に対応する枠リブ２３ａの幅を他の枠リブ２３の幅より広げている。本例では、電極配線集中部３０の部分にシール剤２４を配置しないので、導電性粒子が無く、隣り合う電極配線間のリークは発生しない。一方、シール剤２４を設けていない部分のシールは、枠リブ２３の幅を広げた枠リブ２３ａにより行うことができる。【００２１】
図４（ｂ）に示す例では、図４（ａ）に示す例に加えて、導電性粒子を含むシール剤２４と枠リブ２３との隙間３１に封止剤３２を配置することで、シール剤２４と枠リブ２３との隙間３１を封止している。本例では、図４（ａ）に示す例と比べて、より高いシール性を得ることができる。【００２２】
＜第２発明の説明＞
図５（ａ）、（ｂ）はそれぞれ本発明の第２発明に係る情報表示用パネルの一例を説明するための図である。図５（ａ）に示す例では、情報表示部２２の外側に、外部駆動回路との接続に用いる接続端子部２９との接続のために、双方の基板上の画素電極から引き出された電極配線２５、２６が集まる電極配線集中部３０と、情報表示部２２の外側に設けられた枠リブ２３と、を備え、導電性粒子を含むシール剤２４を用いて、一方の基板に設けた画素電極に繋がる電極配線２５と、他方の基板に設けた電極配線２６とを、情報表示部２２の外側の位置で電気的に接続するとともに、電極配線集中部３０に対応する部分における基板の端部４１の開口を防湿剤４２で塞ぎ、電極配線集中部３０に対応する部分以外の部分に、導電性粒子を含むシール剤２４を配置している。言い換えると、情報表示部２２の外側領域にある電極配線集中部３０の部分において、導電粒子を含むシール剤２４を設けず、基板の端部４１の開口を防湿剤４２で塞いでいる。本例では、電極配線集中部３０の部分にシール剤２４を配置しないので、導電性粒子が無く、隣り合う電極間のリークは発生しない。一方、シール剤２４を設けていない部分のシールは、基板の端部４１の開口全体に外部から防湿剤４２を配置して塞ぐことで行うことができる。【００２３】
図５（ｂ）に示す例では、図５（ａ）に示す例に加えて、導電性粒子を含むシール剤２４と防湿剤４２との隙間４３に封止剤４４を塗布することで、シール剤２４と防湿剤４２との隙間４３を封止している。本例では、図５（ａ）に示す例と比べて、より高いシール性を得ることができる。【００２４】
＜第３発明の説明＞
図６（ａ）、（ｂ）はそれぞれ本発明の第３発明に係る情報表示用パネルの一例を説明するための図である。図６（ａ）に示す例では、
情報表示部２２の外側に、外部駆動回路との接続に用いる接続端子部２９との接続のために、双方の基板上の画素電極から引き出された電極配線２５、２６が集まる電極配線集中部３０と、情報表示部２２の外側に設けられた枠リブ２３と、を備え、導電性粒子を含むシール剤２４を用いて、一方の基板に設けた画素電極に繋がる電極配線２５と、他方の基板に設けた電極配線２６とを、情報表示部２２の外側の位置で電気的に接続するとともに、電極配線集中部３０に対応する部分の枠リブ２３ａの幅を、それ以外の部分よりも広く形成し、電極配線集中部３０に対応する部分における基板の端部４１の開口を防湿剤４２で塞ぎ、電極配線集中部３０に対応する部分以外の部分に、導電性粒子を含むシール剤２４を配置している。言い換えると情報表示部２２の外側領域にある電極配線集中部３０の部分において、導電粒子を含むシール剤２４を設けず、電極配線集中部３０に対応する枠リブ２３ａの幅を他の枠リブ２３の幅より広げるとともに、基板の端部４１の開口を防湿剤４２で塞いでいる。本例では、電極配線集中部３０の部分にシール剤２４を配置しないので、導電性粒子が無く、隣り合う電極間のリークは発生しない。一方、シール剤２４を設けていない部分のシールは、枠リブ２３の幅を広げた枠リブ２３ａにより行うとともに、基板の端部４１の開口全体に外部から防湿剤４２を塗布して塞ぐことで行うことができる。【００２５】
図６（ｂ）に示す例では、図６（ａ）に示す例に加えて、導電性粒子を含むシール剤２４と枠リブ２３との隙間３１に封止剤３２を配置するとともに、導電性粒子を含むシール剤２４と防湿剤４２との隙間４３に封止剤４４を配置することで、シール剤２４と枠リブ２３と防湿剤４２との隙間を封止している。【００２６】
なお、本発明の第１発明〜第３発明に係る情報表示用パネルとして、導電性粒子を含むシール剤２４、封止剤３２、４４、防湿剤４２としては、従来から知られているいずれの材料をも好適に使用することができる。シール剤に用いる導電性粒子の粒子径は情報表示用パネルの基板間ギャップに合わせることが好ましく、１０〜５０μｍの範囲の粒子径を有し、粒子径が揃っているものが好適である。パネル基板間ギャップに適した粒子径の導電性粒子を含んだシール剤を用いる。【００２７】
本発明の情報表示用パネルにおける対向対電極間ギャップは、対電極間に封入した表示媒体粒子群の平均粒子径との関係で設計され、平均粒子径が１〜２０μｍの表示媒体粒子群においては、２０〜１００μｍ、好ましくは３０〜５０μｍで対向対電極間ギャップを形成する。
本発明でシール剤に含まれる導電性粒子は、少なくとも粒子表面が導電性に優れた金属で完全にコーティングされるか導電性に優れた金属単体で構成された粒子である。導電性粒子の内部には分散した空洞があってもよいし、中空であってもよいし、空洞がなくてもよい。導電性粒子の粒子径は対向電極間ギャップよりも１．０〜１．２倍の範囲にあることが好ましい。１．２倍を超えると電極が形成された２枚の基板を押し広げようとする力が大きくなり貼り合わせたパネル基板が剥がれる不都合を引き起こすおそれがあり、１．０倍未満であると電極間での導通がとれない不都合を引き起こすおそれがある。
導電性粒子の含有量は、シール剤の重量１００に対して、１〜３０、好ましくは５〜１０である。少なくとも導電性粒子の表面層を構成する導電材料としては、銀、金、銅、ニッケル、アルミニウム、クロム、白金、鉄等の金属やそれらを主成分とする合金（例えば、ネオジウム−クロムＮｄ−Ｃｒなど）が好適に用いられる。【００２８】
以下、本発明の情報表示用パネルを構成する各部材について説明する。【００２９】
基板については、少なくとも一方の観察側基板は情報表示用パネル外側から表示媒体の色が確認できる透明な基板２であり、可視光の透過率が高くかつ耐熱性の良い材料が好適である。基板１は透明でも不透明でもかまわない。基板材料を例示すると、ポリエチレンテレフタレート、ポリエチレンナフタレート、ポリエーテルサルフォン、ポリエチレン、ポリカーボネート、ポリイミド、アクリルなどの高分子材料や、金属のように可とう性のあるものや、ガラス、石英、硬質プラスチックなど可とう性のないものが挙げられる。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。【００３０】
電極形成材料としては、アルミニウム、銀、ニッケル、銅、金等の金属類や酸化インジウム錫（ＩＴＯ）、亜鉛ドープ酸化インジウム（ＩＺＯ）、アルミニウムドープ酸化亜鉛（ＡＺＯ）、酸化インジウム、導電性酸化錫、アンチモン錫酸化物（ＡＴＯ）、導電性酸化亜鉛等の導電金属酸化物類、ポリアニリン、ポリピロール、ポリチオフェンなどの導電性高分子類が例示され適宜選択して用いられる。電極の形成方法としては、上記例示の材料をスパッタリング法、真空蒸着法、ＣＶＤ（化学蒸着）法、塗布法等で薄膜状に形成する方法や、金属箔（例えば、圧延銅箔などがある）をラミネートする方法、導電剤を溶媒や合成樹脂バインダーに混合して塗布したりする方法が用いられる。視認側であり透明である必要のある表示面側基板２に設ける電極は透明である必要があるが、背面側基板１に設ける電極は透明である必要はない。いずれの場合もパターン形成可能で導電性である上記材料を好適に用いることができる。なお、電極厚みは、導電性が確保でき光透過性に支障がなければ良く、０．０１〜１０μｍ、好ましくは０．０５〜１０μｍで設けられる。背面側基板１に設ける電極の材質や厚みなどは上述した表示面側基板に設ける電極と同様であるが、透明である必要はない。また、この場合の外部電圧入力は、直流あるいは交流を重畳しても良い。【００３１】
隔壁４については、その形状は表示にかかわる表示媒体の種類や、配置する電極の形状、配置により適宜最適設定され、一概には限定されないが、隔壁の幅は２〜１００μｍ、好ましくは３〜５０μｍに、隔壁の高さは１０〜１００μｍ、好ましくは１０〜５０μｍに調整される。また、基板間ギャップ確保を担う隔壁部分は基板間ギャップに合わせる。
また、隔壁を形成するにあたり、対向する両基板１、２の各々にリブを形成した後に接合する両リブ法、片側の基板上にのみリブを形成する片リブ法が考えられる。この発明では、いずれの方法も好適に用いられる。
これらのリブからなる隔壁により形成されるセルは、図７に示すごとく、基板平面方向からみて四角状、三角状、ライン状、円形状、六角状が例示され、配置としては格子状やハニカム状や網目状が例示される。表示面側から見える隔壁断面部分に相当する部分（セルの枠部の面積）はできるだけ小さくした方が良く、表示の鮮明さが増す。
ここで、隔壁の形成方法を例示すると、金型転写法、スクリーン印刷法、サンドブラスト法、フォトリソ法、アディティブ法が挙げられる。いずれの方法もこの発明の情報表示用パネルに好適に用いることができるが、これらのうち、レジストフィルムを用いるフォトリソ法や金型転写法が好適に用いられる。
【実施例】
【００３２】
以下に示す実施例では、電極パターンを形成した２枚のガラス基板間に導電性粒子を含んだ粒子群として構成した表示媒体を封入した構成の情報表示用パネルを作製した。【００３３】
＜実施例１＞
アクリル粒子表面に金メッキした直径４３μｍの導電性粒子をシール剤に分散（重量比で、シール剤：粒子＝１０：１）して、対向電極間ギャップ４０μｍの情報表示用パネルの異方導電性シール剤とした。【００３４】
＜実施例２＞
アクリル粒子表面に金メッキした直径３３μｍの導電性粒子をシール剤に分散（重量比で、シール剤：粒子＝１０：１）して、対向電極間ギャップ３０μｍの情報表示用パネルの異方導電性シール剤とした。【００３５】
＜実施例３＞
アクリル粒子表面に金メッキした直径４０μｍの導電性粒子をシール剤に分散（重量比で、シール剤：粒子＝１０：１）して、対向電極間ギャップ４０μｍの情報表示用パネルの異方導電性シール剤とした。【００３６】
＜実施例４＞
アクリル粒子表面に金メッキした直径４８μｍの導電性粒子をシール剤に分散（重量比で、シール剤：粒子＝１０：１）して、対向電極間ギャップ４０μｍの情報表示用パネルの異方導電性シール剤とした。【００３７】
実施例１−４のいずれの場合も、導電配線を配置した部分には、導電性粒子を含んだシール剤を配置しない構成の情報表示用パネルとしたので、隣接導電配線間でのリーク発生が無く、良好な表示を行える情報表示用パネルとすることができた。
【産業上の利用可能性】
【００３８】
本発明の情報表示用パネルは、ノートパソコン、電子手帳、ＰＤＡ(Personal Digital Assistants)と呼ばれる携帯型情報機器、携帯電話、ハンディターミナル等のモバイル機器の表示部、電子書籍、電子新聞等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ(Point Of Presence, Point Of Purchase advertising)、電子値札、電子棚札、電子楽譜、ＲＦ−ＩＤ機器の表示部のほか、ＰＯＳ端末、カーナビゲーション装置、時計など様々な電子機器の表示部に好適に用いられるほか、外部書換え手段に接続して表示書換えを行う表示部（リライタブルペーパー）としても好適に用いられる【００３９】
表示媒体としては、これまでに説明した帯電性粒子を含んだ粒子群の他に、導電性粒子を含んだ粒子群、半導体性粒子を含んだ粒子群など、電極を介して電気的に駆動できる種々なタイプの表示媒体を用いることができる。本発明の製造方法の対象となる情報表示用パネルの駆動方式については、パネル自体にスイッチング素子を用いない単純マトリックス駆動方式やスタティック駆動方式、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動方式や、種々のタイプの駆動方式の情報表示用パネルに適用できる。
【図１】
2009113626.tif 000003
【図２】
2009113626.tif 000004
【図３】
2009113626.tif 000005
【図４】
2009113626.tif 000006
【図５】
2009113626.tif 000007
【図６】
2009113626.tif 000008
【図７】
2009113626.tif 000009
【図８】
2009113626.tif 000010
【図９】
2009113626.tif 000011
【国際調査報告】
2009113626.tif 000012
2009113626.tif 000013
2009113626.tif 000014
2009113626.tif 000015